(57)【要約】【課題】屋根又は屋上に設置された緑化構造体の延焼を防止する。【解決手段】屋根又は屋上に設置された緑化構造体Ａ１、Ａ２の植物層Ｂを仕切壁部材２０、３０、４０で複数の領域に区画する。これにより、ある領域内の植物層Ｂに火がついた場合に、植物層Ｂを伝って延焼する火炎を仕切壁部材２０、３０、４０でせき止めて、他の領域の植物層Ｂに火が移動するのを防ぐ。【選択図】図６
2010029141.tif 000002
【特許請求の範囲】
【請求項１】
屋根又は屋上に敷設される緑化構造体の延焼防止構造において、
前記緑化構造体の植物層の下端から植物層の高さと同一又は植物層よりも高い位置まで上方に突出する仕切壁部を設けて、前記植物層を複数の領域に区画したことを特徴とする緑化構造体の延焼防止構造。
【請求項２】
前記仕切壁部は、上下に延在する縦壁部と、該縦壁部の上端で折曲されて突出する上端片部とを有することを特徴とする請求項１に記載の緑化構造体の延焼防止構造。
【請求項３】
前記仕切壁部は、断面がコ字型を有する一対の長尺部材を、該長尺部材の開放部分が側方に向かって開口するように互いに背中合わせの状態に組み合わせて形成されることを特徴とする請求項１に記載の緑化構造体の延焼防止構造。
【請求項４】
前記仕切壁部は、
前記上端片部の横幅が、前記上端片部の上を歩行可能な大きさに設定されていることを特徴とする請求項１から請求項３のいずれか一つに記載の緑化構造体の延焼防止構造。
【発明の詳細な説明】
【技術分野】
【０００１】
本発明は、建物の屋根や屋上に設置された緑化構造体の延焼を防止する延焼防止構造に関する。
【背景技術】
【０００２】
近年、ヒートアイランド現象の緩和や二酸化炭素排出量の削減による地球温暖化防止の観点から、建物の屋根や屋上を植物で覆う緑化が盛んに行われている。屋根や屋上の緑化では、屋根や屋上の上に不燃性の土壌層を有する人工地盤が形成され、この人工地盤の土壌層の上に例えば芝草等の植物が植栽されて、平面状に広がる植物層が形成される。植物は可燃性物質であり、特に、冬季のように植物の葉茎が枯れている場合には、燃えやすい状態となっている。従って、例えば、たばこの火や花火の不始末、近隣火災による火の粉の飛来等、何らかの理由によって着火した場合に植物層が延焼するおそれがある。なお、特許文献１には、屋上緑化等の人工土壌を複数の区画に区切り、人工土壌の延焼を防止する技術が示されている。
【０００３】
【特許文献１】特開２００３−２３５３４４号公報
【発明の開示】
【発明が解決しようとする課題】
【０００４】
植物層の延焼は、その表面に沿って這うように進み、例えば横風によって火の粉が飛び、隣接領域に新たな火種が形成され、延焼が加速度的に進行するおそれがある。従って、延焼を防ぐ手段を設けなければ、緑化構造体の植物層が全面に亘って延焼するおそれがある。
【０００５】
本発明の発明者は、鋭意研究の結果、緑化構造体の植物層に火がついた場合に、植物層の表面のみ温度が上昇し、人工土壌の内部は温度上昇しないことを実験により見出した。特許文献１の技術は、人工土壌の火災を想定してなされたものであり、人工土壌から上方に伸びる植物は想定していない。従って、特許文献１の技術を用いたとしても、植物層特有の延焼方法を止めることは困難である。
【０００６】
本発明は、上記の点に鑑みてなされたものであり、その目的とするところは、建物の屋根や屋上に設置された緑化構造体の植物層が延焼するのを防ぐ延焼防止構造を提供することである。
【課題を解決するための手段】
【０００７】
本発明の緑化構造体の延焼防止構造は、屋根又は屋上に敷設される緑化構造体の延焼防止構造において、緑化構造体の植物層の下端から植物層の高さと同一又は植物層よりも高い位置まで上方に突出する仕切壁部を設けて、植物層を複数の領域に区画したことを特徴としている（請求項１）。
【０００８】
本発明に係わる緑化構造体の延焼防止構造によれば、緑化構造体の植物層の下端から植物層の高さと同一又は植物層よりも高い位置まで突出する仕切壁部によって植物層が複数の領域に区画されているので、仕切壁部で仕切られた領域内の植物層に火がついた場合に、延焼範囲をその領域内に留めて、隣接する領域内に火が移るのを防ぎ、延焼の拡大を防ぐことができる。
【０００９】
本発明の緑化構造体の延焼防止構造が有する好ましい態様の一つとして、仕切壁部は、上下に延在する縦壁部と、縦壁部の上端で折曲されて突出する上端片部とを有することを特徴としている（請求項２）。かかる構成によれば、上端縁部によって火炎や火の粉を植物層が燃えている領域内に戻るように折り返させることができ、仕切壁部で隔てられた隣接する他の領域に、火炎や火の粉が進入するのを防ぐことができる。従って、延焼の拡大を確実に防止できる。
【００１０】
また、本発明の緑化構造体の延焼防止構造が有する好ましい態様の一つとして、仕切壁部は、断面がコ字型を有する一対の長尺部材を、その長尺部材の開放部分が側方に向かって開口するように互いに背中合わせの状態に組み合わせて形成した構成としてもよい（請求項３）。
【００１１】
また、本発明の緑化構造体の延焼防止構造が有する好ましい態様の一つとして、仕切壁部は、上端片部の横幅が上端片部の上を歩行可能な大きさに設定されていることを特徴としている（請求項４）。かかる構成とすることにより、作業者等は、上端片部の上を歩行することができる。従って、例えば植物層の植物を傷つけずに植物の管理を行うことができ、管理作業の簡単化を図ることができる。
【発明の効果】
【００１２】
本発明によれば、植物層を仕切壁部で複数の領域に区画するので、ある領域内の植物層に火がついて燃えたときに、延焼範囲をその領域内に留めることができ、他の領域の植物層に火が移るのを防ぐことができる。従って、延焼の拡大を確実に防ぐことができる。
【発明を実施するための最良の形態】
【００１３】
以下、図面を参照しながら、本発明を実施の形態に基づき説明する。本実施の形態では、立ちはぜ折板屋根Ｒの上に敷設される屋根緑化構造体Ａ１の延焼防止構造について説明する。図１は立ちはぜ折板屋根Ｒの一例を示すものであり、図１（ａ）は、立ちはぜ折板屋根Ｒの構成を一部破断により示す斜視図、図１（ｂ）は、立ちはぜ折板屋根Ｒを構成する屋根板３の断面図である。そして、図２は立ちはぜ折板屋根Ｒの上に仕切壁部材２０、３０を取り付けた状態を示す図、図３は立ちはぜ折板屋根Ｒに対する仕切壁部材２０、３０の取付構造を示す要部拡大図である。そして、図４は仕切壁部材を取り付けるためのクランプ６０の基本形態を示し、図５は立ちはぜ折板屋根Ｒとその上に固定された屋根緑化構造体Ａ１を示す平面図、図６は図５のＩ−Ｉ線断面矢視図、図７は図５のＩＩ−ＩＩ線断面矢視図である。
【００１４】
立ちはぜ折板屋根Ｒは、左右の立ち上がり縁の上端部に互いに係合する湾曲部３ａ，３ｂを形成した長尺状の屋根板３を（図１（ｂ）を参照）、隣接する屋根板３，３の湾曲部同士を係合（はぜ継ぎ）しながら、梁５の上に専用の取り付け具６を利用して固定するようにしており、屋根勾配方向であるＸ方向に走る山形部１が屋根横幅方向であるＹ方向に所定ピッチＰａで連続している。そして、該山形部１の頂部２には屋根板３を連接したときの丸みを持つ立ちはぜ突条４が屋根勾配方向に走っている。このような立ちはぜ折板屋根Ｒの上に緑化基盤である保水排水基盤材１０、及び仕切壁部材２０、３０を固定して、保水排水基盤材１０の上に芝草等の植物を植栽することによって屋根緑化構造体Ａ１とされる。
【００１５】
図４は、立ちはぜ折板屋根Ｒの上に保水排水基盤材１０及び仕切壁部材２０、３０を固定するクランプ６０の基本形態を示す。クランプ６０は、一定の横幅を持つ左右一対のクランプ片６１，６１で構成される。各クランプ片６１は、立ちはぜ突条４の下方領域を押さえ付ける挟持先端部６２ａとその上方の第１の水平部６２ｂとからなる膨出部６３と、前記挟持先端部６２ａの先端位置とほぼ同じ垂直位置において前記第１の水平部６２ｂから立ち上がる垂直部６４と、該垂直部６４の上端に位置する第２の水平部６５とを有し、垂直部６４には左右のクランプ片６１、６１を一体に締め付けるときに用いるボルトのためのボルト孔６６が形成されている。また、水平部６５にはボルト孔６７が形成されている。なお、ボルトナットでなくドリルビス等を用いて左右のクランプ片６１、６１を一体に締め付けるようにしてもよく、その場合には、ボルト孔６７を省略することができる。また、左右のクランプ片６１、６１のボルト孔６６の一方を、ボルト孔に替えてより径の小さい小孔としてもよい。
【００１６】
前記膨出部６３の内面側の形状は、好ましくは立ちはぜ突条４の外郭形状に一致した形状であり、その大きさは、左右のクランプ片６１、６１を締め付けたときに立ちはぜ突条４をわずかに圧縮して変形させるように大きさとされる。しかし、膨出部６３の内面側の形状は、左右のクランプ片６１、６１を締め付けたときに、その内周面が部分的に突条４に接触するような形状、あるいはまったく接しない形状であっても差し支えない。挟持先端部６２ａ，６２ａの先端は、図４又は図６に示すように、先端が外側に離反し、突条４に当たる面が曲面とされている。図示しないが、立ちはぜ突条４と該突条４を挟持するクランプ片６１，６１との間にパッキン材を介装してもよい。この構成とすることにより、立ちはぜ突条４とクランプ６０とが直接接触しないようになり、立ちはぜ突条４の防錆処理が剥がれた場合でも、防食電流の流れを効果的に防止することができ、立ちはぜ突条４の腐食による劣化を長期にわたって回避することができる。
【００１７】
クランプ６０の立ちはぜ突条４への固定に際しては、図４に示すように、左右のクランプ片６１，６１の膨出部６３の間に立ちはぜ突条４を挟み込んだ姿勢とし、双方の垂直部６４に形成したボルト孔６６にボルトを通してナットで締め付ける。一定の横幅を持つ挟持先端部６２の先端と膨出部６３の内面側とで突条４を両側から押さえ付けた状態で、クランプ６０は突条４に固定されるので、クランプ６０の固定状態はきわめて安定したものとなる。
【００１８】
図２に示すように、上記のクランプ６０を用いて仕切壁部材２０、３０を立ちはぜ折板屋根Ｒに固定する。仕切壁部材２０、３０は、立ちはぜ折板屋根Ｒの上に、その屋根勾配方向及び屋根横幅方向に沿って固定され、立ちはぜ折板屋根Ｒの上部を複数の領域に区画する。
【００１９】
最初に、屋根勾配方向に沿って固定される緯仕切壁部材２０の固定態様を説明する。図２及び図３に示すように、立ちはぜ折板屋根Ｒにおける緯仕切壁部材２０を固定すべき位置における立ちはぜ突条４に、一対のクランプ片６１，６１で立ちはぜ突条４を左右から挟み付けるようにして適数のクランプ６０を固定する。そして、緯仕切壁部材２０をクランプ６０の第２の水平部６５の上に載せて、ネジやビス６８等でクランプ６０に固定する。
【００２０】
緯仕切壁部材２０は、耐火性あるいは難燃性の剛性材料である、例えばアルミニウム合金等の金属製材料からなる断面が略コ字型の長尺部材によって構成されており、一定の高さ幅で延在する縦壁部２１と、縦壁部２１の高さ幅方向下端部で折曲されて縦壁部２１に直交する方向に突出する下端片部２３と、縦壁部２１の高さ幅方向上端部で折曲されて縦壁部２１に直交する方向で且つ下端片部２３と対向する上端片部２２を有している。
【００２１】
緯仕切壁部材２０は、固定したクランプ６０の第２の水平部６５を利用して固定され、その際に、緯仕切壁部材２０の上端片部２２が植物層Ｂ側に向かって突出する姿勢状態で、下端片部２３がネジやビス等でクランプ６０の第２の水平部６５に固定される。そして、開放部分が側方に向かって開口するように一対の緯仕切壁部材２０を互いの縦壁部２１が接面して背中合わせの状態に組み合わせて固定される。
【００２２】
次に、屋根横幅方向に沿って固定される経仕切壁部材３０の固定態様を説明する。図２及び図３に示すように、立ちはぜ折板屋根Ｒにおける経仕切壁部材３０を固定すべき位置に、前記したようにして適数のクランプ６０を固定する。そして、経仕切壁部材３０がクランプ６０の第２の水平部６５に載せられ、ネジやビス６８等でクランプ６０に固定される。
【００２３】
経仕切壁部材３０は、緯仕切壁部材２０と同一の形状及び構成を有しており、一定の高さ幅で延在する縦壁部３１と、縦壁部３１の高さ幅方向下端部で折曲されて縦壁部３１に直交する方向に突出する下端片部３３と、縦壁部３１の高さ幅方向上端部で折曲されて縦壁部３１に直交する方向で且つ下端片部３３と対向する上端片部３２とを有している。
【００２４】
経仕切壁部材３０は、固定したクランプ６０の第２の水平部６５を利用して固定され、その際に、経仕切壁部材３０の上端片部３２が植物層Ｂ側に向かって突出する姿勢状態で、下端片部３３がネジやビス等でクランプ６０の第２の水平部６５に固定される。そして、一対の経仕切壁部材３０が互いの縦壁部を接面させて背中合わせになるように固定される。
【００２５】
従って、これら緯仕切壁部材２０と経仕切壁部材３０によって屋根緑化構造体Ａ１の植物層Ｂが屋根横幅方向及び屋根勾配方向に所定間隔をおいて仕切られて複数の領域に区画される。
【００２６】
次に、上記の仕切壁部材２０、３０を備える屋根緑化構造体Ａ１の一例を図５〜図７を用いて説明する。図２には図示されないが、緯仕切壁部材２０と経仕切壁部材３０で包囲される区画内における立ちはぜ突条４・・には、所定間隔で適数のクランプ６０が固定される。前記したように、クランプ６０のクランプ片６１は、前記第１の水平部６２ｂ，垂直部６４，第２の水平部６５で形成される断面コ字状空間を有しており、隣接するクランプ６０の前記断面コ字状空間内に端縁を差し込むようにして発泡樹脂製断熱板５０・・を取り付ける（例えば、図６及び図７を参照）。それにより、立ちはぜ折板屋根Ｒの上面は、全体が発泡樹脂製断熱板５０で覆われた状態となり、平坦面が形成される。そして、その上に、適宜の従来知られた複数枚の保水排水基盤材１０が敷き詰められて固定され、保水排水基盤材１０の上に、土壌流出防止のための透水シート１１を介して、適宜の植物層Ｂが配置されて、屋根緑化構造体Ａ１とされる。
【００２７】
緯仕切壁部材２０及び経仕切壁部材３０は、図６及び図７に示すように、植物層Ｂよりも上方に突出しており、植物層Ｂを屋根勾配方向及び屋根横幅方向に所定間隔をおいて仕切り、複数の領域に区画している。上端片部２２、３２は、植物層Ｂの上方に所定距離だけ離間した高さ位置で植物層Ｂと平行に延在しており、植物層Ｂの上面に対向している。これにより、屋根緑化構造体Ａ１の植物層Ｂは、緯仕切壁部材２０によって屋根横幅方向であるＹ方向に区画され、また、経仕切壁部材３０によって屋根勾配方向であるＸ方向に区画されている。本実施の形態では、Ｙ方向に１メートル間隔を有し、Ｘ方向に２メートル間隔を有するように設けられている。また、上端片部２２、３２の高さ位置は、植物層Ｂから約１０センチメートル程度高くなるように設定されている。
【００２８】
緯仕切壁部材２０、経仕切壁部材３０は、立ちはぜ突条４に固定されたクランプ６０を利用して立ちはぜ折板屋根Ｒに堅固に固定されており、これら緯仕切壁部材２０、経仕切壁部材３０の上を歩行する歩行者等の荷重を十分に支えることができるようになっている。
【００２９】
また、上端片部２２、３２の横幅は、その上を作業者等が歩行できる大きさ（本実施の形態では約５センチメートル）に設定されている。従って、これら緯仕切壁部材２０、経仕切壁部材３０の上を歩行することができ、植物層Ｂの植物を傷つけずに植物の管理作業等を行うことができる。
【００３０】
なお、図示の例において、保水排水基盤材１０は、発泡樹脂の成形品であり、図示されないが、保水用空間と植物層Ｂ等の支持体を有し、周壁部には互いに嵌合する接続用凹凸部や溢流部が形成されている。
【００３１】
図８は上記した構造による植物層Ｂの延焼防止方法を説明する模式図であり、図８（ａ）は本実施の形態を示し、図８（ｂ）は従来技術を示すものである。例えば、立ちはぜ折板屋根Ｒの屋根勾配方向に沿って勾配方向下側から勾配方向上側に向かって（図中に太矢印で示す方向である左側から右側に向かって）風が吹いている状況で、風上に位置する植物層Ｂ、１０３に火がついた場合に、図８（ｂ）に示す従来技術では、隔絶部１００が風上の植栽基盤１０１の土壌１０２と風下の植栽基盤１１１の土壌１１２とを仕切っているだけであるので、風上の植栽基盤１０１の植物層１０３を燃やしている火炎や火の粉（図中で細矢印で示す）が風下（勾配方向上側）の植栽基盤１１１の植物層１１３に移るのを防ぐことはできず、隔壁部１００によって延焼を止めることはできない。
【００３２】
一方、図８（ａ）に示す本実施の形態では、緯仕切壁部材２０が風向きに対して直交する方向に延在し且つ植物層Ｂよりも上方の高さ位置まで突出しているので、風上の植物層Ｂを燃やしている火炎を緯仕切壁部材２０でせき止めて、風下の植物層Ｂに移るのを防ぐことができる。特に、緯仕切壁部材２０は、風上に向かって上端片部２２が折り返して設けているので、風に煽られた火炎や火の粉を風上に向かって折り返して、風上の領域内に留めることができる。従って、風下への延焼を効果的に防ぐことができる。
【００３３】
なお、仕切壁部材２０、３０の形状は、上記した断面コ字型の形状に限定されるものではなく、隣接する領域への延焼を防ぐことができる形状であればよい。従って、例えば図９に示す変形例のように、平板状の仕切壁部７０をクランプ６０から上方に向かって植物層Ｂよりも上方の高さ位置まで一直線状に突出させる構成としてもよい。このように仕切壁部材７０を平板形状の部材によって構成することによって、略コ字型の断面形状が有する仕切壁部材２０、３０よりも材料費を安価にすることができ、コストを低減することができる。また、上記した実施の形態では、仕切壁部２０、３０、７０の高さが植物層Ｂよりも高い場合を例に説明したが、植物層Ｂの高さと同一の高さであってもよい。
【００３４】
図１０は、第２実施の形態を説明する断面図である。なお、第１実施の形態と同様の構成要素には同一の符号を付することでその詳細な説明を省略する。本実施の形態では、屋上緑化構造体Ａ２の延焼防止構造について説明する。建物の屋上には、コンクリートスラブＳの上面を覆うように根の浸入を防止するための耐根シート１２が敷き詰められて、平坦面が形成されている。そして、その平坦面の上に、適宜の従来知られた複数枚の保水排水基盤材１０が並べて配置される。そして、保水排水基盤材１０の上に、土壌流出防止のための透水シート１１を介して適宜の植物層Ｂが配置されて、屋上緑化構造体Ａ２とされる。
【００３５】
仕切壁部材４０は、保水排水基盤材１０の継ぎ目に沿って配置されており、屋上緑化構造体Ａ２を複数の領域に区画している。仕切壁部材４０は、第１実施の形態における仕切壁部材２０、３０と同様に断面が略コ字型の長尺部材によって構成されており、一対の縦壁部４１、４１を互いに接面させて、各上端片部４２、４２及び各下端片部４３、４３が互いに離反する背中合わせの状態で、互いに隣り合う保水排水基盤材１０の間に挟まれる形で配置されている。仕切壁部材４０の下端片部４３は、発泡樹脂製断熱板５０の上面に接着剤等で固定されている。なお、仕切壁部材４０は固定されていなくてもよい。仕切壁部材４０の縦壁部４１は、植物層Ｂよりも上方の高さ位置まで突出している。
【００３６】
上記構成を有する屋上緑化構造体Ａ２によれば、仕切壁部材４０を容易に設置することができ、設置工事を簡単化でき、低コストで施工できる。また、上記した屋根緑化構造体Ａ１と同様に、仕切壁部材４０が植物層Ｂよりも上方の高さ位置まで突出しているので、例えば風上に位置する植物層Ｂに火がついた場合に、火炎をせき止めて風下の植物層Ｂに移るのを防ぐことができる。従って、風下への延焼を効果的に防ぐことができる。
【００３７】
以上、各実施の形態について図面を用いて詳述したが、具体的な構成はこれら各実施の形態に限定されるものではなく、本発明の要旨を逸脱しない範囲における設計変更等があっても、それらは本発明に含まれるものである。
【図面の簡単な説明】
【００３８】
【図１】立ちはぜ折板屋根の一例を示す斜視図（図１ａ）とそこで使用する屋根板を示す断面図（図１ｂ）。
【図２】立ちはぜ折板屋根の上に仕切壁部材を固定した状態を示す斜視図。
【図３】仕切壁部材の固定構造を示す斜視図。
【図４】クランプの構造を説明する斜視図。
【図５】立ちはぜ折板屋根の上に固定された屋根緑化構造体を示す平面図。
【図６】屋根緑化構造体の仕切壁部材近傍の構造を屋根横幅方向の断面で示す図。
【図７】屋根緑化構造体の仕切壁部材近傍の構造を屋根勾配方向の断面で示す図。
【図８】仕切壁部材による延焼防止方法を説明する模式図である。
【図９】仕切壁部材の変形例の一つを示す図である。
【図１０】第２実施の形態における緑化構造体の延焼防止構造を示す図。
【符号の説明】
【００３９】
１  山形部
２  頭頂部
３  屋根板
１０  保水排水基盤材（緑化基盤）
１１  透水シート
１２  耐根シート
２０  緯仕切壁部材
２１  縦壁部
２２  上端片部
３０  経仕切壁部材
３１  縦壁部
３２  上端片部
４０  仕切壁部材
４１  縦壁部
４２  上端片部
５０  発泡樹脂製断熱板
６０  クランプ
７０  仕切壁部（第２実施の形態）
Ａ１  屋根緑化構造体（緑化構造体）
Ａ２  屋上緑化構造体（緑化構造体）
Ｒ  立ちはぜ折板屋根
【図１】
2010029141.tif 000003
【図２】
2010029141.tif 000004
【図３】
2010029141.tif 000005
【図４】
2010029141.tif 000006
【図５】
2010029141.tif 000007
【図６】
2010029141.tif 000008
【図７】
2010029141.tif 000009
【図８】
2010029141.tif 000010
【図９】
2010029141.tif 000011
【図１０】
2010029141.tif 000012